(57)【要約】【課題】開封しやすいブロー成形スタンディング薄肉容器を提供する。【解決手段】  内容物の充填空間を区画形成するとともに対向する側壁同士を密着させて充填空間の減容を可能とする薄肉の胴体壁部（１）と、この胴体壁部（１）の下端に一体的につながり該胴体壁部を内容物の有無にかかわりなしに起立させる薄肉の底壁部（２）とからなるブロー成形スタンディング薄肉容器において、前記胴体壁部（１）若しくは底壁部（２）に、容器内の内容物を通す注出経路を形成する注出部（３）を設け、前記注出部（３）を、胴体壁部（１）若しくは底壁部（２）と同材質になる基部（３ａ）と、この基部（３ｂ）に切断予定ライン（Ｌ）を介してつながり該切断予定ライン（Ｌ）に沿う引きちぎりによって開封を可能とする栓体（３ｂ）とにて構成し、前記栓体（３ｂ）については、その全部若しくは少なくとも切断予定ライン（Ｌ）が基部（３ａ）とは異なる材質にて構成する。【選択図】図１
2005187036.tif 000002
【特許請求の範囲】
【請求項１】
内容物の充填空間を区画形成するとともに対向する側壁同士を密着させて充填空間の減容を可能とする薄肉の胴体壁部と、この胴体壁部の下端に一体的につながり該胴体壁部を内容物の有無にかかわりなしに起立させる薄肉の底壁部とからなるブロー成形スタンディング薄肉容器であって、
前記胴体壁部若しくは底壁部に、容器内の内容物を通す注出経路を形成する注出部を設け、
前記注出部は、胴体壁部若しくは底壁部と同材質になる基部と、この基部に切断予定ラインを介してつながり該切断予定ラインに沿う引きちぎりによって開封を可能とする栓体とからなり、
前記栓体は、その全部若しくは少なくとも切断予定ラインが基部とは異なる材質からなることを特徴とするブロー成形スタンディング薄肉容器。
【請求項２】
前記切断予定ラインは、容器の軸心に平行な向きで注出経路の周りに沿って設けられたものである請求項１記載のブロー成形スタンディング薄肉容器。
【請求項３】
前記切断予定ラインは、該ライン上の少なくとも１箇所に栓体の引きちぎりを容易にするＶノッチを有する請求項１または２記載のブロー成形スタンディング薄肉容器。
【請求項４】
前記注出部は、その周りの少なくとも一カ所で壁部が長手方向に沿い外側に向けて突出し栓体を引きちぎる際の基点となる角部を有する請求項１〜３の何れかに記載のブロー成形スタンディング薄肉容器。
【請求項５】
前記注出部は、その壁部の対向位置の少なくとも２箇所に、該注出部を押し潰す際の基点となる細長い凸部を有する請求項１〜４の何れかに記載のブロー成形スタンディング薄肉容器。
【請求項６】
前記細長い凸部が注出部の長手方向に対して折れ線を形成するものである請求項５に記載のブロー成形スタンディング薄肉容器。
【請求項７】
前記注出部は、基部から栓体にわたって順次に配列された複数の環状Ｖノッチを有する請求項１〜６の何れかに記載のブロー成形スタンディング薄肉容器。
【請求項８】
前記栓体は、該栓体と一体に形成された把手を有する請求項１〜７の何れかに記載のブロー成形スタンディング薄肉容器。
【請求項９】
前記栓体は、基部の開口を覆う薄肉片からなる請求項１〜８の何れかに記載のブロー成形スタンディング薄肉容器。
【請求項１０】
前注出部は、注出経路を先端に向けて細くする先細り形状からなり、その胴部に、前記切断予定ラインと同等でかつ相互に間隔を開けて配列した複数本の切断予定ラインを有する請求項１〜９の何れに記載のブロー成形スタンディング薄肉容器。
【請求項１１】
前記栓体の全部又は基部の何れか一方、若しくは切断予定ラインは、他方を構成する材料を少なくとも３０％含むブレンド材料よりなる請求項１〜１０の何れかに記載のブロー成形スタンディング薄肉容器。
【請求項１２】
前記栓体又は基部の何れか一方、若しくは切断予定ラインは、前記栓体を前記基部に接続する接着性の材料又は前記接着性の材料をブレンドした材料からなる請求項１〜１０の何れかに記載のブロー成形スタンディング薄肉容器。
【請求項１３】
内容物の充填空間を区画形成するとともに対向する側壁同士を密着させて充填空間における減容を可能とする薄肉の胴体壁部と、この胴体壁部の下端に一体的につながり該胴体壁部を内容物の有無にかかわりなしに起立させる薄肉の底壁部とからなるブロー成形スタンディング薄肉容器を成形するパリソンであって、
前記パリソンは、その本体に該本体とは異なる材質からなる異材質層を有することを特徴とするブロー成形スタンディング薄肉容器を形成するパリソン。
【請求項１４】
前記異材質層は、パリソン本体の長手方向に沿い連続的に伸延するか、あるいは部分的に設けられたものである請求項１３に記載のブロー成形スタンディング薄肉容器の成形に適したパリソン。
【発明の詳細な説明】
【技術分野】
【０００１】
本発明は、合成樹脂製のフィルムや金属製のフィルムにて構成されるパウチの代替に適したブロー成形スタンディング薄肉容器及びその容器の成形用パリソンに関するものであり、該容器を簡易にかつ確実に開封しようとするものである。
【背景技術】
【０００２】
シャンプーやリンス、液体石鹸、化粧料を収納する据え置きタイプの容器は内容物の適量注出を可能とするディスペンサーを装着したものが一般に使用されており、このような容器に内容物を補充する詰め替え容器としては、合成樹脂製のフィルムや金属製のフィルムを適宜に貼り合わせたパウチやポリオレフィン系合成樹脂等をブロー成形した薄肉のブローボトルが用いられている（例えば、特許文献１参照）。
【０００３】
【特許文献１】特開平１１- １３０１１２号公報
【０００４】
上記のような従来の詰め替え容器は、鋏等の道具を使うかあるいは破断開口用の栓体（つまみ片）を引きちぎることで容器を開封するのが普通であるが、とくに、栓体を引きちぎることで開封するタイプの容器は、鋏等の道具が不要である利点があるものの、引きちぎりに際して樹脂が伸びてしまうこともあって開封しずらいところに問題を残していた。
【発明の開示】
【発明が解決しようとする課題】
【０００５】
本発明の課題は、樹脂の伸びを伴うことなしに簡易かつ確実に開封できる新規なブロー成形スタンディング薄肉容器及びその容器の成形用パリソンを提案するところにある。
【課題を解決するための手段】
【０００６】
本発明は、内容物の充填空間を区画形成するとともに対向する側壁同士を密着させて充填空間の減容を可能とする薄肉の胴体壁部と、この胴体壁部の下端に一体的につながり該胴体壁部を内容物の有無にかかわりなしに起立させる薄肉の底壁部とからなるブロー成形スタンディング薄肉容器であって、
前記胴体壁部若しくは底壁部に、容器内の内容物を通す注出経路を形成する注出部を設け、
前記注出部は、胴体壁部若しくは底壁部と同材質になる基部と、この基部に切断予定ラインを介してつながり該切断予定ラインに沿う引きちぎりによって開封を可能とする栓体とからなり、
前記栓体は、その全部若しくは少なくとも切断予定ラインが基部とは異なる材質からなることを特徴とするブロー成形スタンディング薄肉容器である。
【０００７】
前記切断予定ラインは、容器の軸心に平行な向きで注出経路の周りに沿って設けられたものがとくに有利に適合する。
【０００８】
前記切断予定ラインは、該ライン上の少なくとも１箇所に栓体の引きちぎりを容易にするＶノッチを有するものが好ましい。
【０００９】
また、前記注出部は、その回りの少なくとも一カ所で壁部が長手方向に沿い外側に向けて突出し栓体を引きちぎる際の基点となる角部を設けるのがよい。
【００１０】
さらに、前記注出部は、その壁部の対向位置の少なくとも２箇所に、該注出部を押し潰す際の基点となる細長い凸部を設けるのが好ましく、前記細長い凸部は注出部の長手方向に対して折れ線を形成するものとする。
【００１１】
前記注出部は、基部から栓体にわたって順次に配列された複数の環状Ｖノッチを有するのが好ましい。
【００１２】
前記栓体は、該栓体と一体に形成された把手を設けることができ、栓体自体を基部の開口を覆う薄肉片にて構成してもよい。さらに、注出部を先端に向けて細くする先細り形状としてその胴部に、前記切断予定ラインと同等でかつ相互に間隔を開けて配列した複数本の切断予定ラインを設けることもできる。
【００１３】
前記栓体の全部又は基部の何れか一方、若しくは少なくとも切断予定ラインは、他方を構成する材料を少なくとも３０％含むブレンド材料にて構成することができるものであり、当該部位の構成は、前記栓体を前記基部に接続する接着性の材料からなるもの又は何れか一方に前記接着性の材料をブレンドした材料としてもよい。
【００１４】
また、本発明は、内容物の充填空間を区画形成するとともに対向する側壁同士を密着させて充填空間における減容を可能とする薄肉の胴体壁部と、この胴体壁部の下端に一体的につながり該胴体壁部を内容物の有無にかかわりなしに起立させる薄肉の底壁部とからなるブロー成形スタンディング薄肉容器を成形するパリソンであって、
前記パリソンは、その本体に該本体とは異なる材質からなる異材質層を有することを特徴とするブロー成形スタンディング薄肉容器の成形用パリソンである。
【００１５】
上記の構成になるパリソンにおいて前記異材質層は、パリソン本体の長手方向に沿い連続的に伸延するか、あるいは部分的に設けられたものが望ましい。
【発明の効果】
【００１６】
栓体の全部若しくは少なくとも切断予定ラインを、基部とは異なる材質にて構成することにより、樹脂が延びることなしに栓体を引きちぎることができ、容易な開封が可能となる。
【発明を実施するための最良の形態】
【００１７】
以下、図面を用いて本発明をより具体的に説明する。
図１（ａ）（ｂ）は本発明に従う合成樹脂製のブロー成形スタンディング薄肉容器の実施の形態を示したものであり、（ａ）は正面図、（ｂ）は側面図である。
【００１８】
図における１は内容物の充填空間を区画形成するとともに対向する側壁同士を密着させて充填空間の減容を可能とする薄肉の胴体壁部、２はこの胴体壁部１の下端に一体的につながり該胴体壁部１を内容物の有無にかかわりなしに起立させる薄肉の底壁部、３は胴体壁部１の上端隅部に一体的に設けられた注出部である。
【００１９】
この注出部３は容器内の内容物を通す注出経路を有するもので、胴体壁１と同材質になる基部３ａと、この基部３ａに切断予定ラインＬを介してつながり該切断予定ラインＬに沿う引きちぎりによって開封を可能とする栓体３ｂからなっており、該栓体３ｂは基部３ａとは異なる材質にて構成されている。
【００２０】
また、４は注出部３の長手方向に沿って設けられた細長い凸部（リブ状のもの）である。この凸部はその断面が図２（ａ）に示すようになっていて、容器を開封すべく該注出部３を図２（ｂ）の如く押し潰す際に該凸部４はそれに折れ線を形成するための基点となる。
【００２１】
さらに５は胴体壁部１の上部に設けられ容器の充填空間に内容物を供給する充填部分である。内容物の充填後に充填部分５の開放端を熱融着することによって容器は密閉される。
【００２２】
栓体３ｂを基部３ａとは異なる材質にした上記のような構成の薄肉容器は、容器の開封に際して栓体３ｂを基部３ａから確実に引きちぎることができる。
【００２３】
上記の実施の形態では、栓体３ｂの全体を基部３ａとは異なる材質としたが、切断予定ラインＬに幅をもたせてそのラインＬのみを異材質としてもよい。
【００２４】
切断予定ラインＬは、容器の軸心Ｐに平行な向きで注出経路の周りに沿って設けるのが特に好ましい。
【００２５】
というのは、切断予定ラインＬを容器の軸心Ｐに平行な向きで設けることにより栓体３ｂがより一層引きちぎり易くなるからである。
【００２６】
破断予定ラインＬはその断面をその全長もしくは一部分でＶ字状の溝型断面（Ｖノッチ）にすることができ、これにより引きちぎりが容易になる。
【００２７】
図３は本発明に従う容器の他の実施の形態を示したものである。
この例は、注出部３（注出経路）を先端に向けて細くする先細り形状にするとともに切断予定ラインＬと同等（異材質）でかつ相互に間隔を開けて配列した複数本の切断予定ラインＬ１、Ｌ２を設けた構成のもので、このような容器は、Ｌ〜Ｌ２の何れかを選択的に選んで引きちぎることで注出部３の開口サイズを変更することが可能で、詰め替えるべき容器の口部にフィットさせて内容物の効率的な供給が行える。
【００２８】
図４（ａ）（ｂ）は注出ノズル３と平行に伸びるエアー置換パイプ６を有する薄肉容器につき、栓体３ｂの材質を基部３ａと異材質として、該栓３ｂに把手７を一体的に設けるとともに、注出部３の下側で壁部を長手方向に沿い外側に向けて突出、尖らせて栓体３ｂを引きちぎる際の基点となる角部８を設けた構成のものである。
【００２９】
上記の構成になる容器は、把手７を引き上げることで角部８に応力が集中し、該部位を基点にして切断予定ラインＬに沿い栓体３ｂを簡単に引きちぎることができる。
【００３０】
図５は注出部３に、基部３ａから栓体３ｂにわたって順次に配列された複数の環状Ｖノッチ９ａ、９ｂ…を設けた構成のものである。
【００３１】
この容器は把手７を把持してそれを栓体３ｂとともに回転させることによって切断予定ラインＬに沿って引きちぎることができるものであるが、この種の容器ではブロー成形の際の樹脂の延伸状況によっては栓体３ｂのみを異材質とすることができず、切断予定ラインＬが所定の位置からずれることも懸念されこの場合には確実な引きちぎりができないおそれもある。
【００３２】
複数のＶノッチ９ａ、９ｂ…を配列しておくとブロー成形の際に上記のような位置ずれが生じても切断予定ラインＬはＶノッチ９ａ、９ｂ…の何れかに位置することになるので、栓体３ｂの引きちぎりが確実になる。
【００３３】
図６は把手７を有する栓体３ｂを、基部３ａの開口を覆う薄肉片にて構成した例を示したものである。この容器は、異材質になる部分を少なくできるためブロー成形が簡単に行えかつ、使用材料（異材質分）の削減を図ることができる利点がある。
【００３４】
図７は容器の胴体壁部１に栓体３ｂと同様の異材質のライン１０を形成しその上端に保護部１１を設けた構成のものである。容器の胴体壁部１に異材質のライン１０を設けることで通常、バリとなる異材質部分をも容器の一部を構成する材料として使用することが可能となり、その結果としてバリが少なくてすみ生産性の向上が可能となる。
【００３５】
栓体３ｂの全部若しくは切断予定ラインは、基部３ａ（容器本体の材質と同じ）を構成する材料を少なくとも３０％程度含んだブレンド材料からなるものが適用できる。
【００３６】
容器の本体を含め、基部３ａを中密度ポリエチレンにて成形した場合、栓体３ｂの全部あるいは切断予定ラインＬはポリプロピレンにて成形することができ、この時、ポリプロピレンに少なくとも３０％程度の中密度ポリエチレンをブレンドすることで、栓体３ｂの引きちぎりを阻害しない程度の結合力が得られる。
【００３７】
容器を構成する樹脂としては、上記の中密度ポリエチレンの他、低密度ポリエチレン、高密度ポリエチレン、ポリプロピレン等のポリオレフィン系樹脂やポリエチレンテレフタレート等のポリエステル系樹脂、あるいはバリア層を形成するのに好適なエチレンビニルアルコール共重合体樹脂、ナイロン樹脂等を単体で若しくは組み合わせて使用することができ、栓体（切断予定ラインを含む）を構成する樹脂としては、前記基部からの栓体の引きちぎりを阻害しない程度の結合力が得られる樹脂であれば公知の各種樹脂を使用することができる。
【００３８】
切断予定ラインＬは基部３ａと栓体３ｂを接続する接着性の樹脂を異材質として使用することもできる。
【００３９】
具体的には、基部３ａ、栓体３ｂの何れにおいても接着ができるように、相溶性のないそれらの樹脂の何れか一方の基材に対して例えば酸変成ポリオレフフィン（三井化学製の「アドマー」等）等の接着性樹脂をブレンドしたものを用いることができ、これにより、それぞれが相溶性のない基部３ａと異材質である栓体３ｂとが接着することとなる。接着強度については、ブレンドされる接着性樹脂の量を変更することにより調整する。なお、接着性の樹脂のみにて基部３ａあるいは栓体３ｂを構成することができるが、基部３ａあるいは栓体３ｂの何れか一方を構成する樹脂に対して引きちぎりを阻害しない程度の接着性を発揮する樹脂（１種類あるいはブレンドしたものもでも可能）を採用することも可能である。
【００４０】
本発明に従う容器は、基本的にはダイレクトブロー成形によって成形されるもので、栓体３ｂ、切断予定ラインＬを異材質とするに当たっては、押し出し成形によって異材質層（連続的に伸延するかあるいは断続的に設けられたもの）を形成した図８（ａ）〜（ｄ）に示したようなパリソンを使用する。とくに、異材質層がパリソンの長手方向（パリソンの高さ方向）にわたって存在する図８（ａ）に示したようなものを用いる場合には、容器の軸心に対して傾斜を有する金型を使用することで栓体３ｂのみを異材質として形成することができる（図７に示した容器は除く）。
【産業上の利用可能性】
【００４１】
栓体の引きちぎりによって簡単かつ綺麗に開封できる薄肉容器が提供できる。
【図面の簡単な説明】
【００４２】
【図１】本発明に従うブロー成形スタンディング薄肉容器を示したものであり（ａ）は正面図、（ｂ）は側面図である。
【図２】図１に示した容器の注出部の断面を示したものであり、（ａ）は押し潰す前の状態を示した図であり、（ｂ）は押し潰した状態を示した図である。
【図３】本発明に従う容器の他の実施の形態を示した図である。
【図４】本発明に従う容器の他の実施の形態を示した図であり、（ａ）は側面図であり、（ｂ）は正面の要部拡大図である。
【図５】本発明に従う容器の他の実施の形態を示した図である。
【図６】本発明に従う容器の他の実施の形態を示した図である。
【図７】本発明に従う容器の他の実施の形態を示した図である。
【図８】（ａ）〜（ｄ）は本発明に従う容器を成形するのに用いて好適なパリソンの外観斜視図である。
【符号の説明】
【００４３】
１  胴体壁部
２  底壁部
３  注出部
３ａ  基部
３ｂ  栓体
４  凸部
５  充填部分
６  エアー置換パイプ
７  把手
８  角部
９ａ、９ｂ…  環状Ｖノッチ
１０  異材質のライン
１１  保護部
Ｌ  切断予定ライン
Ｐ  容器の軸心
【図１】
2005187036.tif 000003
【図２】
2005187036.tif 000004
【図３】
2005187036.tif 000005
【図４】
2005187036.tif 000006
【図５】
2005187036.tif 000007
【図６】
2005187036.tif 000008
【図７】
2005187036.tif 000009
【図８】
2005187036.tif 000010